(57)【特許請求の範囲】
【請求項１】
データ送信側（Ｓ）と、フェッチサービスを制御するための制御メカニズム（ＣＭ）とを含む通信ネットワーク（Ｎ）内のデータフェッチサービスのための方法であって、
送信側（Ｓ）がフェッチ用のデータを準備し、
送信側（Ｓ）がデータフェッチ要求を制御メカニズム（ＣＭ）に通知し、
制御メカニズム（ＣＭ）が通知された要求を受信する方法において、
要求の受信後に、制御メカニズム（ＣＭ）が少なくとも一つの基準に応じて送信側（Ｓ）からデータをフェッチする時期を判定することを特徴とする方法。
【請求項２】
要求の受信後に、制御メカニズム（ＣＭ）が要求の受諾を送信側（Ｓ）に通知することを特徴とする請求の範囲第１項に記載の方法。
【請求項３】
送信側（Ｓ）が緊急性の欠如を制御メカニズム（ＣＭ）に通知することを特徴とする請求の範囲第１項または第２項に記載の方法。
【請求項４】
送信側（Ｓ）がその間に要求を実行しなければならない時間フレームを制御メカニズム（ＣＭ）に提供することを特徴とする請求の範囲第１項から第３項のいずれか一項に記載の方法。
【請求項５】
通信ネットワーク（Ｎ）が一つまたは複数の受信側（Ｅ１、Ｅ２）を含み、送信側（Ｓ）がフェッチしたデータの転送先になる一つまたは複数の受信側（Ｅ１、Ｅ２）に通知することを特徴とする請求の範囲第１項から第４項のいずれか一項に記載の方法。
【請求項６】
送信側（Ｓ）からフェッチしたデータを中間格納なしで受信側（Ｅ１、Ｅ２）のうちの一つまたはそれぞれに転送することを特徴とする請求の範囲第５項に記載の方法。
【請求項７】
データを転送する前に、受信側（Ｅ１、Ｅ２）のうちの一つまたはそれぞれが制御メカニズム（ＣＭ）（ｓｉｃ）に対してそれ自体を認証することを特徴とする請求の範囲第５項または第６項に記載の方法。
【請求項８】
データを転送する前に、受信側（Ｅ１、Ｅ２）のうちの一つまたはそれぞれが、それがデータを受信できる状態になっていることを通知することを特徴とする請求の範囲第５項から第７項のいずれか一項に記載の方法。
【請求項９】
受信側（Ｅ１、Ｅ２）のうちの一つまたはそれぞれがデータを受信できる状態になっているかどうかを送信側（Ｓ）がチェックし、受信側（Ｅ１、Ｅ２）のうちの少なくとも一つがデータを受信できる状態になっている場合に送信側（Ｓ）が制御メカニズム（ＣＭ）に要求を通知することを特徴とする請求の範囲第５項から第７項のいずれか一項に記載の方法。
【請求項１０】
制御メカニズム（ＣＭ）により、送信側（Ｓ）から取り出したデータがメモリ（Ｍ）に格納され、受信側（Ｅ１、Ｅ２）のうちの一つまたはそれぞれにデータを転送することを一つまたは複数の受信側（Ｅ１、Ｅ２）が制御メカニズム（ＣＭ）に通知し、制御メカニズム（ＣＭ）により、そのデータが受信側（Ｅ１、Ｅ２）のうちの一つまたはそれぞれに転送されることを特徴とする請求の範囲第１項から第４項のいずれか一項に記載の方法。
【請求項１１】
送信側（Ｓ）がフェッチすべきデータにＩＤを割り当て、受信側（Ｅ１、Ｅ２）のうちの一つまたはそれぞれがデータに割り当てられたＩＤを制御メカニズム（ＣＭ）に通知したときに、制御メカニズム（ＣＭ）によりそのデータが受信側（Ｅ１、Ｅ２）のうちの一つまたはそれぞれに転送されることを特徴とする請求の範囲第１０項に記載の方法。
【請求項１２】
データをフェッチする前に、制御メカニズム（ＣＭ）が送信側（Ｓ）に対してそれ自体を認証することを特徴とする請求の範囲第１項から第１１項のいずれか一項に記載の方法。
【請求項１３】
通信ネットワーク（Ｎ）の送信側（Ｓ）から信号を受信するための受信手段（ＲＭ）を備えた通信ネットワーク（Ｎ）内のデータフェッチサービスのための制御メカニズム（ＣＭ）であって、送信側（Ｓ）が制御メカニズム（ＣＭ）にデータフェッチ要求を伝達する制御メカニズムにおいて、要求を受信後に、少なくとも一つの基準が達成されたかどうかをそれがチェックし、それが該当する場合に、データが送信側（Ｓ）からフェッチされ、その結果、送信側（Ｓ）からのデータフェッチの時期を制御メカニズム（ＣＭ）が判定するように、制御メカニズム（ＣＭ）が設計されていることを特徴とする制御メカニズム。
【発明の詳細な説明】
本発明は、請求の範囲第１項の特徴記述部分による通信ネットワーク内のデータフェッチサービスのための方法と、請求の範囲第１３項の特徴部分による制御メカニズムに関する。
このような方法およびこのような制御メカニズムは、米国特許第５３９２３３６号により知られている。本特許明細書では、送信側が受信側にデータを送信する予定であることをこのサービスのオペレータに通知するようなデータメモリとフェッチサービスについて述べる。その場合、送信すべきデータには識別番号が割り当てられ、その後、データは送信側からそのデータが格納されるメモリに送信される。このようなデータに割り当てられた識別番号を受信側が受信した後、データはメモリからこの受信側に送信される。
既知のデータ記憶およびフェッチサービスの場合、データの送信側または受信側は必ず、送信側からメモリヘまたはメモリから受信側ヘデータを送信する時期を判定する。
本発明の目的は、特に大量のデータを送信するときに、通信ネットワークの使用状況を改善することにある。この目的は、請求の範囲第１項の原理または請求の範囲第１３項の原理により達成される。
利点の一つは、どの時点で送信側からデータをフェッチするかをフェッチサービスのオペレータが判定できることである。通信ネットワーク容量の使用状況が改善されるため、低コストの送信手数料を設定することができる。
本発明の有利な例では、フェッチすべきデータが送信側から一つまたは複数の受信側に直接送信される。その場合の利点の一つは、フェッチサービスオペレータが中間メモリを一切必要としないことである。
本発明の他の有利な例は、従属請求の範囲に記載されている。
明確にするため、２通りの例と図面により、以下に本発明について説明する。
第１図は、データの中間格納なしで本発明の方法を実行可能な、本発明による制御メカニズムを備えた通信ネットワークの第一の例である。
第２図は、中間格納により本発明の方法を実行可能な、通信ネットワークの第二の例である。
第１図は、データ送信側Ｓを表す一つの加入者と、第一のデータ受信側Ｅ１および第二のデータ受信側Ｅ２を表す他の二つの加入者とを含む、通信ネットワークＮを示している。データフェッチサービス用の制御メカニズムＣＭは通信ネットワークＮ内に位置している。制御メカニズムＣＭは、特に送信側Ｓと受信側Ｅ１およびＥ２から信号メッセージを受信するための受信手段ＲＭを含んでいる。前記信号メッセージは、通信経路を介して受信することができる。第一の通信経路１２は制御メカニズムＣＭと送信側Ｓとの間に位置し、第二の通信経路１３は制御メカニズムＣＭと第一の受信側Ｅ１との間に位置し、第三の通信経路１４は制御メカニズムＣＭと第二の受信側Ｅ１との間に位置する。第一の送信経路１０と第二の送信経路１１は、送信側Ｓから第一の受信側Ｅ１または第二の受信側Ｅ２ヘデータを送信するために使用することができる。通信経路と送信経路は交換接続にすることができる。しかし、それらを介して無接続送信を行うことも可能である。制御メカニズムＣＭは、フェッチサービスを実行するための手順を決定し、制御する。
本例の送信側Ｓは、フェッチ用のデータを準備する。そのため、送信側Ｓは、フェッチするまでデータを格納しておくメモリを備えている。次に送信側Ｓは、第一の通信経路１２を介して制御メカニズムＣＭにデータフェッチ要求を通知する。制御メカニズムＣＭの受信手段ＲＭは、送信側Ｓが通知した要求を受信する。有利には、次に制御メカニズムＣＭはその要求の受信と受諾を送信側Ｓに通知し、その結果、送信側Ｓはその要求を実行する制御メカニズムＣＭに依存することができる。要求を受信した後、制御メカニズムＣＭは、送信側Ｓからデータをフェッチする時期をチェックする。
そのため、チェック可能な基準がいくつか存在する。このような基準としては、たとえば、通信ネットワークＮの瞬時負荷、要求を処理するための制御メカニズムＣＭの負荷、あるいはフェッチサービスの運用のために好都合なその他の基準などがある。したがって、その基準のうちの少なくとも一つを達成したと制御メカニズムＣＭが判定した場合、それにより送信側Ｓからのデータのフェッチが行われ、制御される。したがって、送信側Ｓからデータをフェッチすべき時期の判定は、送信側Ｓに依存せず、制御メカニズムＣＭに依存する。要求を伝達する場合、その要求が緊急のものではないことを送信側Ｓが制御メカニズムＣＭに通知できることも有利である。これは、制御メカニズムＣＭがその時期を単独で判定したデータフェッチ要求を排他的に実行することはないが、実行すべき要求を直ちに受信する場合に特に重要なことである。
その上、その間に制御メカニズムＣＭがデータフェッチ要求を実行しなければならない時間フレームを送信側Ｓが制御メカニズムＣＭに設けることも可能である。また、要求を実行するための手数料を計算するときに制御メカニズムＣＭが送信側Ｓによるこのような備えを考慮に入れることは、想像できることである。送信側Ｓからのデータフェッチの時期を判定するときに制御メカニズムＣＭが使用中である程度が低ければ低いほど、手数料を低くすることができる。
この第一の例では、送信側Ｓからフェッチすべきデータは、第一の受信側Ｅ１および第二の受信側Ｅ２に転送される。したがって、送信側Ｓは制御メカニズムＣＭに二つの受信側Ｅ１およびＥ２を通知する。制御メカニズムＣＭが判定した時期に、第一の送信経路１０を介して第一の受信側Ｅ１に、また第二の送信経路１１を介して第二の受信側Ｅ２に、受信側Ｓからデータが転送される。
必要であれば、二つの受信側Ｅ１およびＥ２への転送前に、データを複写する。この第一の例では、制御メカニズムＣＭに割り当てられたメモリへのデータの中間格納なしに、送信側Ｓから二つの受信側Ｅ１およびＥ２へのデータの転送が第１図に応じて行われる。したがって、フェッチサービスを実行するには、送信側Ｓから受信側への転送用のデータの中間格納のための中間メモリは一切不要である。有利には、データの転送前に、二つの受信側Ｅ１およびＥ２がデータを受信して格納できる状態になっているかどうかを制御メカニズムＣＭがチェックする。これにより、受信側Ｅ１およびＥ２がデータを受信できる状態になっていない場合にデータの転送が行われないことを保証することができる。受信側Ｅ１およびＥ２による受信準備を確認するこのようなチェックは、データの転送前の任意の時期に制御メカニズムＣＭによって実行することができる。本発明の他の有利な例では、データを送達する前に、それぞれの受信側Ｅ１およびＥ２が制御メカニズムＣＭに対してそれ自体を認証する。その代わりとして、受信側Ｅ１およびＥ２によるデータの受信準備のチェックを送信側Ｓが行うことも可能である。有利には、データをフェッチするための要求を制御メカニズムＣＭに通知する前に送信側Ｓによるこのチェックを行う。受信側Ｅ１およびＥ２のうちの少なくとも一つがそれがデータを受信できる状態になっていることを示した場合、送信側Ｓはデータをフェッチするための要求を通知するだけである。
第２図は、メモリＭへのデータの中間格納により本発明の方法を実行可能な、本発明の制御メカニズムＣＭを備えた通信ネットワークＮの第二の例である。同じ要素または同じように動作するものについては、第１図と同じ名称を使用する。
送信側Ｓからのデータのフェッチが行われる時期を制御メカニズムＣＭが判定すると、データは第三の送信経路２０を介して送信側ＳからメモリＭに転送され、そこで格納される。次に制御メカニズムＣＭは、第四の通信経路２３を介してメモリＭとやりとりすることができる。制御メカニズムＣＭの受信側Ｅ１およびＥ２は、メモリＭ内に格納されたデータを受信側Ｅ１およびＥ２に転送することを通信経路１３および１４を介して通知する。次に制御メカニズムＣＭにより、第四の送信経路２１を介して第一の受信側Ｅ１へ、また第五の送信経路２２を介して第二の受信側Ｅ２へ、データの転送が行われる。その場合、メモリＭから第一の受信側Ｅ１と第二の受信側Ｅ２へのデータの転送は、受信側Ｅ１およびＥ２の両方からの要求の直後または前述のように少なくとも一つの基準に応じて制御メカニズムＣＭが判定したその後の任意の時期のいずれかに、行うことができる。その場合、制御メカニズムＣＭがまず、送信側Ｓからフェッチされ、メモリＭに格納されたデータを受信できる状態になっているかどうかを受信側Ｅ１およびＥ２に照会することも可能である。
第１図に示す本発明の例のすべての変形態様は、中間格納なしに達成されるが、メモリＭへのデータの中間格納を含む第２図の例に変えることもできる。
さらに、送信側Ｓまたは制御メカニズムＣＭがフェッチすべきデータにＩＤを割り当て、割り当てられたデータＩＤを制御メカニズムＣＭに事前に通知した場合に制御メカニズムＣＭのみにより受信側Ｅ１およびＥ２へのデータの転送が行われることも可能である。これにより、無許可のデータアクセスに対する安全保護が増加する。送信側Ｓはデータがそこからフェッチされる時期を必ずしも把握していないが、指定の制御メカニズムＣＭだけが送信側Ｓからフェッチすべきデータにアクセスできることを依然として確認する必要があるので、有利にはデータをフェッチする前に制御メカニズムＣＭが送信側Ｓに対してそれ自体を認証する。
本発明を実施するかまたは応用する場合、送信側Ｓがフェッチすべきデータの一つまたは複数の受信側を制御メカニズムＣＭに通知することは必要ではない。また、制御メカニズムＣＭに割り当てられたメモリ、たとえば、第２図のメモリＭにフェッチすべきデータを格納することも可能であり、所定の受信側だけでなく任意の数の受信側も、機密性の程度の関数としてデータにアクセスすることができる。
【図１】
0003801649.tif 000002
【図２】
0003801649.tif 000003